(57)【要約】【課題】照明器具の光源部分と天井等の器具設置面との輝度比を小さくする。【解決手段】照明器具１０は、ＬＥＤ１１、器具本体１２、カバー１３を備える。器具本体１２は、天井等の器具設置面２０に取り付けられる取付面２１と、ＬＥＤ１１から放射される光を出射する出射面２２と、取付面２１から出射面２２に向かって少なくとも一部が内側に傾斜する傾斜側面２３とを有する。カバー１３は、器具本体１２の出射面２２を覆うように設置され、出射面２２から出射される光を拡散させる。カバー１３は、器具本体１２の傾斜側面２３の上記少なくとも一部（内側に傾斜している部分）の延長面２４よりも外側に突出する凸部３１を有する。【選択図】図４
2014179347.tif 000002
【特許請求の範囲】
【請求項１】
天井の器具設置面に取り付けられる照明器具において、
光を放射する光源と、
前記器具設置面に取り付けられる取付面と、前記取付面に平行な面であり、開口が形成された底面と、前記取付面から前記底面に向かって少なくとも一部が内側に傾斜する傾斜側面とを有する器具本体と、
前記器具本体の底面の開口を隙間が生じないように覆い、前記光源から放射される光を拡散させるカバーであって、前記器具本体の傾斜側面の前記少なくとも一部の延長面よりも外側に突出する凸部を有するカバーとを備えることを特徴とする照明器具。
【請求項２】
前記器具本体は、断面形状が、上底部分を前記底面とし、下底部分を前記取付面とし、左右両側の斜辺部分を前記傾斜側面とする略台形状であることを特徴とする請求項１に記載の照明器具。
【請求項３】
前記照明器具は、前記光源を複数備え、
前記光源は、前記器具本体に略直線状に配列され、
前記器具本体の傾斜側面は、前記光源の配列方向に沿って延在し、
前記カバーの凸部は、前記光源の配列方向と直交する方向に向かって外側に突出することを特徴とする請求項１又は２に記載の照明器具。
【請求項４】
前記カバーは、断面形状が、湾曲部分を前記凸部の外表面の少なくとも一部とする略蒲鉾状であることを特徴とする請求項１から３までのいずれかに記載の照明器具。
【請求項５】
前記光源は、前記器具本体の取付面に対して略垂直方向に光を放射するＬＥＤであることを特徴とする請求項１から４までのいずれかに記載の照明器具。
【請求項６】
前記器具本体には、電源端子台が実装されていることを特徴とする請求項１から５までのいずれかに記載の照明器具。
【発明の詳細な説明】
【技術分野】
【０００１】
本発明は、照明器具に関するものである。
【背景技術】
【０００２】
ＬＥＤを光源とする照明器具は、数多く提供されている（例えば、特許文献１参照）。
【先行技術文献】
【特許文献】
【０００３】
【特許文献１】特開２００９−１８１８１３号公報
【発明の概要】
【発明が解決しようとする課題】
【０００４】
ＬＥＤを光源とする照明器具では、ＬＥＤ発光部は輝度が高く、まぶしく見える。一方、ＬＥＤは指向性が強いため、例えば天井等の器具設置面に対し垂直方向を照射する直付型照明器具では、ＬＥＤから照射された光が照明器具の側面や器具設置面に当たらず暗く見える。ＬＥＤ発光部と直付型照明器具の側面や器具設置面が同時に視野に入る場合、これらの輝度比が大きく、グレアを感じるという課題があった。
【０００５】
本発明は、例えば、照明器具の光源部分と天井等の器具設置面との輝度比を小さくすることを目的とする。
【課題を解決するための手段】
【０００６】
本発明の一の態様に係る照明器具は、
天井の器具設置面に取り付けられる照明器具であり、
光を放射する光源と、
前記器具設置面に取り付けられる取付面と、前記取付面に平行な面であり、開口が形成された底面と、前記取付面から前記底面に向かって少なくとも一部が内側に傾斜する傾斜側面とを有する器具本体と、
前記器具本体の底面の開口を隙間が生じないように覆い、前記光源から放射される光を拡散させるカバーであって、前記器具本体の傾斜側面の前記少なくとも一部の延長面よりも外側に突出する凸部を有するカバーとを備える。
【発明の効果】
【０００７】
本発明によれば、カバーが、器具本体の傾斜側面の延長面よりも外側に突出する凸部を有するため、光源から放射される光が凸部を介して器具本体の傾斜側面に当たり、また、その光がさらに天井等の器具設置面に当たることにより、照明器具の光源部分と器具設置面との輝度比が小さくなる。
【図面の簡単な説明】
【０００８】
【図１】実施の形態１に係る照明器具の斜視図である。
【図２】実施の形態１に係る照明器具の側面図、平面図、正面図である。
【図３】実施の形態１に係る照明器具の分解斜視図である。
【図４】実施の形態１に係る照明器具の設置状態の側面図である。
【図５】実施の形態１に係る照明器具の側面図であり、カバーからの拡散光を図示したものである。
【図６】実施の形態２に係る照明器具の斜視図である。
【図７】実施の形態２に係る照明器具の分解斜視図である。
【図８】実施の形態２に係る照明器具の設置状態の側面図である。
【図９】実施の形態３に係る照明器具の設置状態の側面図である。
【図１０】実施の形態３に係る照明器具の側面図であり、カバーからの拡散光を図示したものである。
【発明を実施するための形態】
【０００９】
以下、本発明の実施の形態について、図を用いて説明する。
【００１０】
実施の形態１．
図１は、本実施の形態に係る照明器具１０の斜視図である。図２は、照明器具１０の側面図（左上）、平面図（右上）、正面図（右下）である。図３は、照明器具１０の分解斜視図である。図４は、照明器具１０の設置状態の側面図である。
【００１１】
本実施の形態において、照明器具１０は、天井等の器具設置面２０（図４参照）に取り付けられるものである。照明器具１０は、光を放射する光源としてＬＥＤ１１を複数備えるほか、ＬＥＤ１１を収容する器具本体１２、及び、光を拡散させるカバー１３を備える。
【００１２】
図２右上の平面図（右半分はカバー１３を取り付けた状態、左半分はカバー１３を取り外した状態である）に示すように、本実施の形態において、ＬＥＤ１１は、器具本体１２の内側に略直線状に配列されている。なお、ＬＥＤ１１は、他の形状をなすように配列されていてもよい。例えば器具本体１２を平面視円形状に形成して、その器具本体１２の内側にＬＥＤ１１をリング状に配置してもよい。また、例えばＬＥＤ１１をランダムに配置してもよい。
【００１３】
器具本体１２は、器具設置面２０に取り付けられる取付面２１と、ＬＥＤ１１から放射される光を出射する出射面２２と、取付面２１から出射面２２に向かって少なくとも一部が内側に傾斜する傾斜側面２３とを有する。図４に示すように、本実施の形態において、取付面２１、出射面２２、ＬＥＤ１１が取り付けられる面は、互いに平行であるが、必ずしも平行でなくてよい。また、傾斜側面２３は、上部が略垂直な面になっているが、他の部分と同様に傾斜していてもよい。即ち、傾斜側面２３は、全体が内側に傾斜していてもよい（器具設置面２０に対する傾斜角は、０°より大きく９０°より小さければよく、例えば６０°等となる）。また、傾斜側面２３は、ＬＥＤ１１の配列方向に沿って延在しているが、ＬＥＤ１１の配列方向と直交する方向に沿って延在していてもよい。即ち、傾斜側面２３は、器具本体１２の長手方向及び短手方向のどちらにあってもよく、両方向に存在していてもよい。
【００１４】
器具本体１２の内側には、ＬＥＤ１１から放射される光を反射するリフレクタ１４が複数設けられており、各リフレクタ１４はＬＥＤ１１と１対１で対応している。各リフレクタ１４の出光側開口部は、器具本体１２の出射面２２を形成している。なお、リフレクタ１４は、１つが複数のＬＥＤ１１に対応するように設けられていてもよい。図示しないが、器具本体１２の内側には、さらに、ＬＥＤ１１に電力を供給する電源装置や、電源端子台等の電装部品が実装される。
【００１５】
例えば、器具本体１２は、板金を折り曲げあるいは組み合わせて、側面形状が略台形状をなす直方体に形成される。本実施の形態では、図４に示すように、器具本体１２の断面形状が、上底部分を出射面２２とし、下底部分を取付面２１とし、左右両側の斜辺部分を傾斜側面２３とする略台形状になっている。
【００１６】
カバー１３は、器具本体１２の出射面２２を覆うように設置され、出射面２２から出射される光を拡散させる。カバー１３は、器具本体１２の傾斜側面２３の上記少なくとも一部（内側に傾斜している部分）の延長面２４（ＬＥＤ１１が取り付けられた面から広がる傾斜面からなる側面外形面）よりも外側（器具外）に突出する凸部３１（図４の斜線部）を有する。本実施の形態では、器具本体１２の傾斜側面２３がＬＥＤ１１の配列方向に沿って延在しているため、カバー１３の凸部３１は、ＬＥＤ１１の配列方向と直交する方向に向かって外側に突出している。
【００１７】
例えば、カバー１３は、側断面形状が略蒲鉾形状をなしており、器具本体１２に取り付けられる複数のＬＥＤ１１の前面に取り付けられる。本実施の形態では、図４に示すように、カバー１３の断面形状が、湾曲部分を凸部３１の外表面の少なくとも一部とする略蒲鉾状になっている。
【００１８】
例えば、カバー１３は、乳白アクリル等の拡散透光性を有する合成樹脂材料で形成される。カバー１３は、内外表面が細かく凹凸加工されており、例えば透過率が７０％の場合、導光及び乱反射する光は約３０％である。
【００１９】
本実施の形態では、光源として、器具本体１２の取付面２１に対して略垂直方向に光を放射するＬＥＤ１１を用いているが、カバー１３に、器具本体１２の傾斜側面２３の延長面２４よりも外側に突出する凸部３１を設けているため、ＬＥＤ１１から放射される光が器具本体１２の傾斜側面２３にも当たる。また、器具本体１２の傾斜側面２３に当たって反射した光がさらに器具設置面２０にも当たる。これにより、照明器具１０の光源部分と器具設置面２０との輝度比が小さくなる。
【００２０】
図５は、照明器具１０の側面図であり、カバー１３からの拡散光を図示したものである。
【００２１】
図５に示すように、カバー１３は、ＬＥＤ１１の前面（発光面）を覆うように器具本体１２に取り付けられるので、ＬＥＤ１１が発する光が直接看者の視野に入らず、輝度が低減される。また、ＬＥＤ１１から放射された光の一部は、カバー１３の板厚内を導光したり、カバー１３内部で乱反射したりした後に、凸部３１で拡散し、器具本体１２の傾斜側面２３及び器具設置面２０に達するため、ＬＥＤ１１発光部とその周囲との輝度比が小さくなる。
【００２２】
カバー１３の内表面３２と、ＬＥＤ１１が取り付けられた面に対向するカバー１３の外表面３３が平滑で、カバー１３の側面側の外表面３４に細かい凹凸加工をした場合、導光及び乱反射する光を器具設置面２０方向に効率的に拡散できるため、ＬＥＤ１１発光部とその周囲との輝度比をより小さくすることができる。
【００２３】
以上のように、本実施の形態では、器具本体１２の取付面２１に対して垂直方向を照射する複数のＬＥＤ１１の照射方向に、器具本体１２の断面の側面外形面よりも器具外に凸形状である拡散透光性を有するカバー１３が設けられているため、光源より照射された光の一部を照明器具１０の側面や器具設置面２０に拡散させることができる。これにより、グレアが軽減でき、例えば室内天井に明るさ感が得られる照明器具１０が提供できる。
【００２４】
また、本実施の形態では、器具本体１２の側面が垂直な面ではなく、傾斜側面２３となっているため、図４及び図５に示すように、カバー１３の凸部３１の側面、即ち、外表面３４を垂直な面としても、ＬＥＤ１１からの光を照明器具１０の側面や器具設置面２０に拡散させることができる。つまり、カバー１３の凸部３１を器具本体１２の底面の端部２５より外側に出っ張らせる必要がない。そのため、意匠性の高い照明器具１０が提供できる。なお、凸部３１は、器具本体１２の傾斜側面２３の延長面２４よりも外側に突出しているのであれば、その側面が垂直な面ではなく、器具本体１２の底面の端部２５より内側に傾斜したり、湾曲したりしていてもよい。
【００２５】
実施の形態２．
本実施の形態について、主に実施の形態１との差異を説明する。
【００２６】
図６は、本実施の形態に係る照明器具１０の斜視図である。図７は、照明器具１０の分解斜視図である。図８は、照明器具１０の設置状態の側面図である。
【００２７】
本実施の形態では、カバー１３の凸部３１の側面、即ち、外表面３４が垂直な面ではなく、器具本体１２の底面の端部２５より外側に突出している。つまり、本実施の形態では、カバー１３の凸部３１を器具本体１２の底面の端部２５より外側に出っ張らせている。これにより、実施の形態１と比べて、より多くの光を照明器具１０の側面や器具設置面２０に拡散させることができる。
【００２８】
実施の形態３．
本実施の形態について、主に実施の形態１との差異を説明する。
【００２９】
図９は、照明器具１０の設置状態の側面図である。
【００３０】
本実施の形態では、器具本体１２の断面が四角形状になっている。よって、器具本体１２の側面２６が傾斜側面２３ではなく、垂直な面となっている。
【００３１】
本実施の形態において、照明器具１０は、側面形状が略正方形からなる直方体形状の器具本体１２と、この器具本体１２に取り付けられるＬＥＤ１１と、このＬＥＤ１１の前面（発光面）を覆うように、器具本体１２に取り付けられるカバー１３を備える。なお、器具本体１２の側面形状は、例えば長方形であっても構わない。
【００３２】
器具本体１２は、天井等の器具設置面２０に取り付けられる取付面２１と、ＬＥＤ１１から放射される光を出射する出射面２２と、略平行な２つの側面２６とを有する。
【００３３】
カバー１３は、実施の形態２と同様に、側断面形状が楕円形となっている。カバー１３の円弧状になる両端部（凸部３１）は、器具本体１２の側面２６の延長面２４から器具外方向に突出する。
【００３４】
図１０は、照明器具１０の側面図であり、カバー１３からの拡散光を図示したものである。
【００３５】
図１０に示すように、カバー１３は、ＬＥＤ１１の前面（発光面）を覆うように器具本体１２に取り付けられるので、ＬＥＤ１１が発する光が直接看者の視野に入らず、輝度が低減される。また、ＬＥＤ１１から放射された光の一部は、カバー１３の板厚内を導光したり、カバー１３内部で乱反射したりした後に、凸部３１で拡散し、器具本体１２の傾斜側面２３及び器具設置面２０に達するため、ＬＥＤ１１発光部とその周囲の輝度比が小さくなる。
【００３６】
カバー１３の内表面３２と外表面３３が平滑で、カバー１３の凸部３１の外表面３４に細かい凹凸加工をした場合、導光及び乱反射する光を器具設置面２０方向に効率的に拡散できるため、ＬＥＤ１１発光部とその周囲の輝度比をより小さくすることができる。
【符号の説明】
【００３７】
１０  照明器具、１１  ＬＥＤ、１２  器具本体、１３  カバー、１４  リフレクタ、２０  器具設置面、２１  取付面、２２  出射面、２３  傾斜側面、２４  延長面、２５  端部、２６  側面、３１  凸部、３２  内表面、３３，３４  外表面。
【図１】
2014179347.tif 000003
【図２】
2014179347.tif 000004
【図３】
2014179347.tif 000005
【図４】
2014179347.tif 000006
【図５】
2014179347.tif 000007
【図６】
2014179347.tif 000008
【図７】
2014179347.tif 000009
【図８】
2014179347.tif 000010
【図９】
2014179347.tif 000011
【図１０】
2014179347.tif 000012